(57)【要約】【課題】エボナイト製のマウスピースが振動し易い状態でリードをマウスピースに固定でき、楽器から生じる音が良く響く管楽器のリガチャーを提供する。【解決手段】管楽器のエボナイト製のマウスピース２とリード４１を挿入可能な環状の本体５１（緊縛部）を備える。本体５１は、マウスピース２の外面に接触する複数の第１のスペーサー５２（第１の突子）と、リード４１に接触する複数の第２のスペーサー５３（第２の突子）とを備える。本体５１は、リング５４とねじ機構５５とを有する。第１のスペーサー５２は、エボナイトによって形成されてリング５４の周方向に所定の間隔をおいて離間する位置にそれぞれ設けられ、リング５４の内周面から径方向の内側に突出している。【選択図】  図３
2020064133.tif 000002
【特許請求の範囲】
【請求項１】
管楽器のエボナイト製のマウスピースをリードが重ねられた状態で挿入可能に形成された環状の緊縛部と、
前記緊縛部に設けられて前記マウスピースの外面に接触する複数の第１の突子と、
前記緊縛部に設けられて前記リードにおける前記マウスピースとは反対側の面に接触する複数の第２の突子とを備え、
前記緊縛部は、
断面Ｃ字状に形成されたリングと、
前記リングの両端どうしの間隔を変えるねじ機構とを有し、
前記第１の突子は、エボナイトによって形成されて前記リングの周方向に所定の間隔をおいて離間する位置にそれぞれ設けられ、前記リングの内周面から径方向の内側に突出していることを特徴とする管楽器のリガチャー。
【請求項２】
請求項１記載の管楽器のリガチャーにおいて、
前記第１の突子は、前記マウスピースの長手方向に延びる棒状に形成され、
前記第１の突子の前記マウスピースと対向する面は、前記長手方向から見て前記マウスピースに向けて凸になる凸曲面によって形成されていることを特徴とする管楽器のリガチャー。
【請求項３】
請求項２記載の管楽器のリガチャーにおいて、
前記第１の突子の長手方向の両端部には、前記マウスピースとは反対方向に延びる係止爪が形成され、
前記リングにおける前記第１の突子が取付けられる部位には、前記係止爪が係止される穴が形成されていることを特徴とする管楽器のリガチャー。
【発明の詳細な説明】
【技術分野】
【０００１】
本発明は、リードをマウスピースに固定する管楽器のリガチャーに関する。
【背景技術】
【０００２】
従来、サクソフォンやクラリネットなどの管楽器の唄口は、マウスピースに板状のリードを重ねて構成されている。リードは、リガチャーによってマウスピースに固定されている。サクソフォンやクラリネットに用いられる従来のリガチャーは、例えば特許文献１に記載されているように、リング状に形成されたものが多い。特許文献１に開示されたリガチャーは、マウスピースにリードを重ねて形成された柱状体に巻かれる金属製のバンドと、このバンドの両端を互いに近接する方向に引っ張るねじ機構とによって構成されている。ねじ機構でバンドの両端を引っ張ることにより、柱状体がバンドで緊縛され、リードがマウスピースに押し付けられて固定される。このリガチャーのバンドは、マウスピースの外周面に密着している。
【０００３】
一方、特許文献２の図５〜図８には、マウスピースとの接触部分が少なくなる構造のリガチャーが開示されている。この特許文献２に開示されたリガチャーは、マウスピースとリードとからなる柱状体を囲むリング状の緊縛部材と、この緊縛部材の内周部に設けられた複数の接触子とを有している。接触子がマウスピースとリードとに接触することにより、緊縛部材と柱状体との間に隙間が生じる。
【０００４】
ところで、従来のサクソフォンのマウスピースは、金属、プラスチックあるいはエボナイトなどによって形成されている。
【先行技術文献】
【特許文献】
【０００５】
【特許文献１】特開２０１２−２２０５５号公報
【特許文献２】特開平８−１６１５７号公報
【発明の概要】
【発明が解決しようとする課題】
【０００６】
特許文献１に開示されているようなリガチャーを使用すると、バンドによってマウスピースの振動が抑制されてしまい、音が響くうえで抵抗になって音が籠もったようになるという問題があった。
特許文献２に示すリガチャーは、特許文献１に示すリガチャーと較べると、マウスピースとの接触部分が少なくなってマウスピースが振動し易くなる。しかし、このリガチャーをエボナイトによって形成されたマウスピースに使用すると、楽器全体の響きが鈍く、音量も控えめになるという不具合があった。
【０００７】
本発明の目的は、エボナイト製のマウスピースが振動し易い状態でリードをマウスピースに固定でき、楽器から生じる音が良く響く管楽器のリガチャーを提供することである。
【課題を解決するための手段】
【０００８】
この目的を達成するために、本発明に係る管楽器のリガチャーは、管楽器のエボナイト製のマウスピースをリードが重ねられた状態で挿入可能に形成された環状の緊縛部と、前記緊縛部に設けられて前記マウスピースの外面に接触する複数の第１の突子と、前記緊縛部に設けられて前記リードにおける前記マウスピースとは反対側の面に接触する複数の第２の突子とを備え、前記緊縛部は、断面Ｃ字状に形成されたリングと、前記リングの両端どうしの間隔を変えるねじ機構とを有し、前記第１の突子は、エボナイトによって形成されて前記リングの周方向に所定の間隔をおいて離間する位置にそれぞれ設けられ、前記リングの内周面から径方向の内側に突出しているものである。
【０００９】
本発明は、前記管楽器のリガチャーにおいて、前記第１の突子は、前記マウスピースの長手方向に延びる棒状に形成され、前記第１の突子の前記マウスピースと対向する面は、前記長手方向から見て前記マウスピースに向けて凸になる凸曲面によって形成されていてもよい。
【００１０】
本発明は、前記管楽器のリガチャーにおいて、前記第１の突子の長手方向の両端部には、前記マウスピースとは反対方向に延びる係止爪が形成され、前記リングにおける前記第１の突子が取付けられる部位には、前記係止爪が係止される穴が形成されていてもよい。
【発明の効果】
【００１１】
本発明によれば、マウスピースにリードを重ねて形成された柱状体を緊縛部の中に挿入し、ねじ機構によってリングの両端どうしの間隔を狭めることにより、マウスピースとリードとが緊縛部によって緊縛される。この緊縛状態においては、複数の第１の突子がマウスピースに押付けられるとともに、複数の第２の突子がリードに押付けられ、マウスピースおよびリードと緊縛部との間に隙間が形成される。このため、このリガチャーが取付けられたマウスピースは、振動し易い状態になる。
【００１２】
第１の突子は、マウスピースを形成する材料と同じ材料であるエボナイトによって形成されている。このため、マウスピースと同様に振動可能な第１の突子がマウスピースに押し付けられることになるから、マウスピースに第１の突子が押し付けられているにもかかわらず、マウスピースの振動が減衰され難くなると考えられる。マウスピースの振動は音の響きに影響を及ぼすから、マウスピースに息を吹き込んでからレスポンスよく楽器が響くようになるし、音量も増えるようになる。
したがって、本発明によれば、エボナイト製のマウスピースが振動し易い状態でリードをマウスピースに固定でき、楽器から生じる音が良く響く管楽器のリガチャーを提供することができる。
【図面の簡単な説明】
【００１３】
【図１】本発明に係るリガチャーを用いたサクソフォンの構成を示す側面図である。
【図２】マウスピース組立体の側面図である。
【図３】マウスピース組立体の正面図である。
【図４】マウスピース組立体の分解斜視図である。
【図５】図２におけるリガチャーのV-V線断面図である。
【図６】リガチャーの本体の母材の平面図である。
【図７】図３における第１のスペーサーのVII−VII線断面図である。
【図８】第１のスペーサーをリガチャーの本体に取付ける工程を説明するための断面図である。
【図９】第１のスペーサーをリガチャーの本体に取付ける工程を説明するための断面図である。
【発明を実施するための形態】
【００１４】
以下、本発明に係る管楽器のリガチャーの一実施の形態を図１〜図９を参照して詳細に説明する。この実施の形態においては、本発明をサクソフォンに使用されるリガチャーに適用する場合の一例について説明する。
【００１５】
図１に示す管楽器１は、アルトサクソフォンで、マウスピース２を除く他の管部材が真鍮によって形成されたものである。他の管部材は、マウスピース２が上流側端部に取付けられた吹込管３と、この吹込管３の下流側端部が上流側端部に接続された２番管４と、この２番管４の下流側端部が上流側端部に接続されたＵ字状の１番管５と、この１番管５の下流側端部に接続されたベル６などである。これらの管部材には＃１〜＃２５番トーンホールと、これらの＃１〜＃２５番トーンホールを開閉するキー１１〜３５などが設けられている。図１はキー１１〜３５を操作するための操作機構や操作系の部品を省略して描いてある。
【００１６】
マウスピース２は、図２および図３に示すように、リード４１と本発明に係るリガチャー４２とともにマウスピース組立体４３となった状態で吹込管３に取付けられている。マウスピース２は、エボナイトを材料として所定の形状に形成されている。マウスピース２の上流側端部（演奏者側の端部）には、図４に示すように、吹込口４４が開口している。この吹込口４４の開口縁は、マウスピース２の平坦なテーブル部４５に接続されている。このマウスピース２の長手方向の中央部は、上述したテーブル部４５の一部と筒状部４６とによって形成されている。
【００１７】
リード４１は、葦によって板状に形成されており、マウスピースのテーブル部４５に重ねられて後述するリガチャー４２によってマウスピース２に固定されている。
【００１８】
リガチャー４２は、図４に示すように、環状の本体５１と、この本体５１に設けられた第１および第２のスペーサー５２，５３とを備えている。第１のスペーサー５２は、詳細は後述するがマウスピース２と接触し、第２のスペーサー５３はリード４１と接触する。この実施の形態においては、本体５１が本発明でいう「緊縛部」に相当し、第１のスペーサー５２が本発明でいう「第１の突子」に相当し、第２のスペーサー５３が本発明でいう「第２の突子」に相当する。
【００１９】
本体５１は、図３に示すように、マウスピース２をリード４１が重ねられた状態で挿入可能な大きさの環状に形成されている。この本体５１は、図５に示すように、断面Ｃ字状のリング５４と、このリング５４の一方の端部５４ａと他方の端部５４ｂとを接続するねじ機構５５とによって構成されている。図５は、図２におけるリガチャー４２のV−V線断面図である。
【００２０】
リング５４は、真鍮製の帯板状の母材５６（図６参照）をプレス加工によって所定の形状に丸めて形成されている。母材５６には複数の穴が穿設されている。これらの穴は、第１のスペーサー５２を取付けるための８つの角穴５７と、第２のスペーサー５３を取付けるための４つの丸穴５８と、軽量化のための第１〜第５の穴５９〜６３である。角穴５７は、母材５６の長手方向の両側に形成され、丸穴５８は母材５６の長手方向の中央部５６ａに形成されている。
母材５６の長手方向の中央部５６ａの幅（図６において上下方向の幅）は、第２のスペーサー５３によってリード４１を押す間隔を広くとるために、母材５６の長手方向の一方の端部５６ｂと他方の端部５６ｃの幅より広く形成されている。
【００２１】
ねじ機構５５は、図５に示すように、リング５４の一方の端部５４ａに固着された雌ねじ部材６４と、リング５４の他方の端部５４ｂに固着された筒状部材６５と、この筒状部材６５を貫通して雌ねじ部材６４に螺着されたねじ部材６６とによって構成されている。このねじ部材６６を締め込んだり緩めたりすることにより、リング５４の両端どうしの間隔が変わる。
【００２２】
第１のスペーサー５２は、エボナイトによって棒状に形成されており、図２に示すように、長手方向がマウスピース２の長手方向と平行になる状態で後述する係止構造７１によってリング５４の内周面に固定されている。このため、第１のスペーサー５２は、図３および図５に示すように、リング５４の内周面７２から径方向の内側に突出している。
また、第１のスペーサー５２は、リング５４の周方向に所定の間隔をおいて離間する位置にそれぞれ設けられている。
【００２３】
この実施の形態によるリガチャー４２は、４個の第１のスペーサー５２を備えている。これらの第１のスペーサー５２のうち２個の第１のスペーサー５２，５２は、リング５４の一方の端部５４ａと他方の端部５４ｂとに設けられている。他の２個の第１のスペーサー５２，５２は、リング５４の周方向の中央部５４ｃ（リング５４の両端部５４ａ，５４ｂとは径方向において反対側に位置する部分）とリング５４の端部５４ａ，５４ｂとの間に設けられている。
第１のスペーサー５２におけるマウスピース２と対向する面は、マウスピース２の長手方向から見てマウスピース２に向けて凸になる凸曲面５２ａ（図３参照）によって形成されている。この凸曲面５２ａは、第１のスペーサー５２の長手方向には直線状に延びている。
【００２４】
第１のスペーサー５２をリング５４に固定する係止構造７１は、図７に示すように、第１のスペーサー５２の長手方向の一方の端部７３と他方の端部７４とにマウスピース２とは反対方向に延びるように形成された第１および第２の係止爪７５，７６と、リング５４の複数の角穴５７とによって構成されている。複数の角穴５７は、図６に示すように、第１および第２の係止爪７５，７６を挿入できるように形成されている。
【００２５】
すなわち、一対の角穴５７が第１のスペーサー５２の長手方向に所定の間隔をおいて並ぶように形成されている。ここでいう所定の間隔とは、第１の係止爪７５と第２の係止爪７６との間隔に相当する間隔である。第１の係止爪７５と第２の係止爪７６とのうち、図７において左側に位置する第１の係止爪７５は、第２の係止爪７６から離間する方向に延びる延長部７５ａを有している。
【００２６】
この第１のスペーサー５２は、リング５４が断面Ｃ字状に成形されてリング５４の表面処理等が終了した後にリング５４に取付けられる。リング５４の表面処理とは、成形後の磨き、塗装あるいはメッキ処理などである。
第１のスペーサー５２をリング５４に取付けるにあたっては、先ず、図８に示すように、第１のスペーサー５２を一端部がリング５４に接触するように傾斜させて第１の係止爪７５を一方の角穴５７に挿入し、第１の係止爪７５の先端部を角穴５７の開口縁に掛ける。そして、図９に示すように、第１のスペーサー５２の第２の係止爪７６をリング５４に近付け、第２の係止爪７６を撓ませながら角穴５７に挿入する。そして、第１のスペーサー５２の他端部をリング５４の内周面７２に押し付けて第２の係止爪７６を角穴５７に係止させることによって、第１のスペーサー５２がリング５４に取付けられる。
【００２７】
第２のスペーサー５３は、真鍮によって円柱状に形成されており、リング５４の４つの丸穴５８にそれぞれ嵌合した状態でリング５４に固着されている。
【００２８】
このように構成されたリガチャー４２を使用してマウスピース２にリード４１を取付けるためには、先ず、リガチャー４２の内部にマウスピース２を挿入し、このマウスピース２にリード４１を重ねる。そして、リード４１がマウスピース２の所定の位置に位置付けられている状態で、リガチャー４２をマウスピース２とリード４１とに対して所定の位置に位置決めする。このとき、リガチャー４２の第１のスペーサー５２がマウスピース２の筒状部４６と対向し、第２のスペーサー５３がリード４１におけるマウスピース２とは反対側の面４１ａ（図３参照）と対向するようにリガチャー４２を位置付ける。
【００２９】
このようにリガチャー４２を位置付けた後、ねじ機構５５のねじ部材６６を締め込む。ねじ部材６６が締め込まれることによりリング５４の一方の端部５４ａと他方の端部５４ｂとの間隔が狭くなり、リング５４の径が小さくなる。この結果、４個の第１のスペーサー５２がそれぞれマウスピース２の外面に押し付けられるとともに４個の第２のスペーサー５３がそれぞれリード４１に押し付けられる状態でマウスピース２とリード４１とがリガチャー４２の本体５１によって緊縛される。すなわち、本体５１がマウスピース２とリード４１とを緊縛することによりリード４１がマウスピース２に固定される。
【００３０】
この緊縛状態においては、図３に示すように、マウスピース２およびリード４１と本体５１との間に隙間Ｓが形成される。このため、このリガチャー４２が取付けられたマウスピース２は、振動し易い状態になる。
第１のスペーサー５２は、マウスピース２を形成する材料と同じ材料であるエボナイトによって形成されている。このため、マウスピース２と同様に振動可能な第１のスペーサー５２がマウスピース２に押し付けられることになるから、マウスピース２に第１のスペーサー５２が押し付けられているにもかかわらず、マウスピース２の振動が減衰され難くなると考えられる。
【００３１】
マウスピース２の振動は音の響きに影響を及ぼすから、マウスピース２に息を吹き込んでからレスポンスよく楽器が響くようになるし、音量も増えるようになる。
したがって、この実施の形態によれば、エボナイト製のマウスピース２が振動し易い状態でリード４１をマウスピース２に固定でき、楽器から生じる音が良く響く管楽器のリガチャー４２を提供することができる。
【００３２】
この実施の形態による第１のスペーサー５２は、マウスピース２の長手方向に延びる棒状に形成されている。第１のスペーサー５２のマウスピース２と対向する面は、マウスピース２の長手方向から見てマウスピース２に向けて凸になる凸曲面５２ａによって形成されている。
このため、第１のスペーサー５２とマウスピース２との接触部の接触状態が線接触になるから、マウスピース２の振動がより一層減衰され難くなる。したがって、このリガチャー４２を使用することにより、楽器の音の響きがより一層良くなる。
【００３３】
この実施の形態による第１のスペーサー５２の長手方向の両端部には、マウスピース２とは反対方向に延びる第１および第２の係止爪７５，７６が形成されている。リング５４における第１のスペーサー５２が取付けられる部位には、第１および第２の係止爪７５，７６が係止される角穴５７が形成されている。
このため、第１のスペーサー５２をリング５４に取付けるにあたって工具が不要で、簡単に行うことができる。したがって、複数の第１のスペーサー５２を有しているにもかかわらず組立が容易なリガチャー４２を提供することができる。
【符号の説明】
【００３４】
１…管楽器、２…マウスピース、４１…リード、５１…本体（緊縛部）、５２…第１のスペーサー（第１の突子）、５２ａ…凸曲面、５３…第２のスペーサー（第２の突子）、５４…リング、５５…ねじ機構、５７…角穴、７５…第１の係止爪、７６…第２の係止爪。
【図１】
2020064133.tif 000003
【図２】
2020064133.tif 000004
【図３】
2020064133.tif 000005
【図４】
2020064133.tif 000006
【図５】
2020064133.tif 000007
【図６】
2020064133.tif 000008
【図７】
2020064133.tif 000009
【図８】
2020064133.tif 000010
【図９】
2020064133.tif 000011